(57)【特許請求の範囲】
【請求項１】
ケーシングと、このケーシングに一端部が回転自在に支持されたアームと、このアームの他端部に設けられた可動部材と、上記アームを第１の回動方向へ付勢する弾性部材と、上記アームの上記第１の回動方向を向く面あるいは上記アームの上記第１の回動方向とは反対方向を向く面に、上記アームの長手方向に沿って設けられた複数の段部と、上記アームの上記段部が設けられた面側で上記アームに対して接近離間自在に設けられるとともにロックバーを有するストッパ手段とを備え、
上記ロックバーの端部は、所定の回動位置にある上記アームの上記段部のいずれかと係合することにより、上記アームの上記第１の回動方向への回動を阻止して、上記可動部材の位置決めを行うことを特徴とする位置決め装置。
【請求項２】
前記アームは、上記可動部材を前記ケーシングに対して平行移動させるように可動部材の側部に一対づつ回転自在に設けられていることを特徴とする請求項１に記載の位置決め装置。
【請求項３】
前記アームの前記第１の回動方向を向く面に前記段部が設けられる場合、前記ストッパ手段は、前記ケーシングに設けられるとともに他の弾性部材によって前記アーム側へ付勢されており、さらに前記ロックバーを上記アームから離間させるためのレバーを備え、
前記ロックバーは、前記ケーシングに摺動自在に支持されていることを特徴とする請求項２に記載の位置決め装置。
【請求項４】
前記アームの前記第１の回動方向とは反対方向を向く面に前記段部が設けられる場合、前記ストッパ手段は、前記可動部材に設けられており、さらに、前記ロックバーを上記アームから離間させるためのレバーと、前記可動部材の中央部で上記ロックバーの摺動方向と同一方向へ摺動自在に支持された駆動部材と、中間部が上記可動部材に回転自在に支持され一端部が上記駆動部材の一端部に回転自在に連結された一対のリンク部材と、上記駆動部材を上記リンク部材側へ付勢する他の弾性部材とを備え、
上記ロックバーの基端部は、上記リンク部材の他端部に回転自在に連結され、上記レバーは、その中間部が上記可動部材に回転自在に支持されるとともに一端部が上記駆動部材の他端部に回転自在に連結されていることを特徴とする請求項２に記載の位置決め装置。
【請求項５】
前記第１の回動方向が下側になるように配置される位置決め装置であって、前記可動部材の表面には取っ手が設けられ、上記可動部材の下縁部には、複数の板状体の縁部どうしをヒンジ結合してなる受け部材の一縁部が固定され、この受け部材の他縁部が前記ケーシングの底板に沿って上方へ向けて延在することにより、上記可動部材を上記ケーシングから離間させたときに、上記受け部材が上記ケーシングに掛け渡されて可動部材とケーシングとの間の底部を遮蔽するようにしたことを特徴とする請求項２〜４のいずれかに記載の位置決め装置。
【請求項６】
前記可動部材を、同可動部材を閉じた状態で前記ケーシングに収容される収納箱として構成したことを特徴とする請求項２〜４のいずれかに記載の位置決め装置。
【発明の詳細な説明】
【０００１】
【発明の属する技術分野】
本発明は、例えば蓋などの可動部材を開閉したときの可動部材の位置決め装置に係り、特に、構成を簡略化かつ小型化する技術に関する。
【０００２】
【従来の技術】
図２４は従来の位置決め装置の一例を示す図である。この位置決め装置は、図２５（Ａ），（Ｂ）に示すように、基台１に軸２を回転自在に支持し、軸２に、蓋３の両端部から突出したアーム４，４を固定して概略構成されている。ここで、アーム４の先端部には、軸２を中心とする円周上に３つの孔４ａ，…が約４５度づつ離間して形成され、孔４ａ，…の一つに、基台１から進退自在に突出したピン５が嵌合させられている。ピン５は、基台１に取り付けられたコイルばね６によってアーム４側へ付勢され、基台１に設けられたカム機構（図示略）を駆動することで引っ込められるようになっている。このような位置決め装置において蓋３の位置を変更するには、図２５（Ｃ）に示すように、カム機構を駆動してピン５を孔４ａから抜き出す。次いで、蓋３を所望の位置まで回動させ、カム機構によるピン５の拘束を解除することでピン５をコイルばね６の力で突出させ、図２５（Ｄ）に示すように、ピン５を孔４ａに嵌合させて蓋３の位置決めを行う。
【０００３】
【発明が解決しようとする課題】
しかしながら、上記した従来の位置決め装置では、アーム４の先端部に孔４ａ，…を形成しなければならないため、その部分が大型化するとともに場合によっては別部品で構成しなければならず、しかも、その回動を妨げないようにスペースを確保する必要がある。また、ピン５を進退させるためのカム機構を基台１内部に設けなければならないから、基台１が大型化する。このように、従来の位置決め装置では装置が大型化し、しかもカム機構のような複雑な機構が必要になるという問題があった。
【０００４】
よって、本発明は上記問題点を解決するためになされたもので、簡単な構成で蓋などの可動部材を位置決めすることができ、位置決めのための機構を小型化することができる位置決め装置を提供することを目的としている。
【０００５】
【課題を解決するための手段】
本発明の位置決め装置は、ケーシングと、このケーシングに一端部が回転自在に支持されたアームと、このアームの他端部に設けられた可動部材と、アームを第１の回動方向へ付勢する弾性部材と、アームの第１の回動方向を向く面あるいはアームの第１の回動方向とは反対方向を向く面に、アームの長手方向に沿って設けられた複数の段部と、上記アームの段部が設けられた面側でアームに対して接近離間自在に設けられるとともにロックバーを有するストッパ手段とを備え、ロックバーの端部は、所定の回動位置にあるアームの段部のいずれかと係合することにより、アームの第１の回動方向への回動を阻止して、可動部材の位置決めを行うことを特徴としている。
【０００６】
上記構成の位置決め装置にあっては、アームを所定の位置まで回動させ、ストッパをアーム側へ移動させて段部と係合させる。これにより、アームの第１の回動方向への回動が阻止されるとともに、その逆方向への回動も弾性部材の付勢力によって規制され、可動部材の位置決めが完了する。また、ストッパを後退させて段部から離脱させることにより、アームは、弾性部材の付勢力により第１の回動方向へ回動し、可動部材が元の位置に戻る。このように、本発明では、ストッパ手段をアームに設けた段部に係合させる構成であるから、アームの回動軌跡以外にストッパと係合する部分のスペースを必要としない。また、ストッパ手段をアームの第１の回動方向側に設け、アームに対して接近させることで段部と係合させる構成であるから、ストッパ手段をアームの回動方向と直交する方向（幅方向）へ移動させる従来技術のように、ストッパ手段で幅方向の空間が無駄にされることがない。このように、本発明では、ストッパ手段とこれに係合する段部を効率良く配置しているため、無駄な空間が少なく装置を小型化することができる。
【０００７】
ここで、アームは、可動部材をケーシングに対して平行移動させるように可動部材の側部に一対づつ回転自在に設けるのが望ましく、これにより、可動部材の姿勢が一定になる。また、ストッパ手段に対向するアームには、段部をアームの長手方向に沿って複数設けることが望ましい。これにより、可動部材の複数位置での位置決めを簡単かつスペースを取らない構成で達成することができる。
【０００８】
ストッパ手段はケーシングに設けることができる。その場合には、アームの第１の回動方向を向く面に段部が設けられ、ストッパ手段は、ケーシングに設けられるとともに他の弾性部材によってアーム側へ付勢されており、さらにロックバーをアームから離間させるためのレバーを備え、ロックバーは、ケーシングに摺動自在に支持されていることが望ましい。これにより、アームが回動して段部がロックバーの前方に来ると両者が自動的に係合するから、位置決めの操作が簡便となる。また、レバーを操作してロックバーを段部から離脱させるだけでアームが第１の回動方向へ回動するから、可動部材の復帰のための操作も簡便となる。そして、このような可動部材の位置決めおよび復帰の動作を、上記のような簡単な構成で達成することができる。
【０００９】
ここで、ストッパ手段は可動部材に設けることも可能であり、その場合には、アームの第１の回動方向とは反対方向を向く面に段部が設けられ、上記したロックバーは可動部材の側板に摺動自在に支持される。また、ストッパ手段を可動部材に設ける他の例として次のような構成も好適である。すなわち、ストッパ手段は、可動部材の中央部でロックバーの摺動方向と同一方向へ摺動自在に支持された駆動部材と、中間部が可動部材に回転自在に支持され一端部が駆動部材の一端部に回転自在に連結された一対のリンク部材と、駆動部材をリンク部材側へ付勢する他の弾性部材とを備えることができる。この場合、ロックバーの基端部は、リンク部材の他端部に回転自在に連結され、レバーは、その中間部が可動部材に回転自在に支持されるとともに一端部が駆動部材の他端部に回転自在に連結される。
【００１０】
上記構成の位置決め装置にあっては、他の弾性部材による付勢力が駆動部材およびリンク部材を介してロックバーに伝達され、ロックバーはアーム側へ付勢される。したがって、前述の位置決め装置と同様に、アームが回動して段部がロックバーの前方に来ると両者が自動的に係合する。また、レバーを回動させて駆動部材をアーム側へ移動させると、ロックバーがアームから離間して段部から離脱する。なお、このような構成はケーシングに設けることも可能である。
【００１１】
ところで、本発明は位置決め装置に関するものであるが、可動部材の形態を適宜選定することにより、各種収納ボックスや自動車用コンソールボックスなど任意の装置に適用することができる。たとえば、アームの第１の回動方向が下側になるように配置して本発明を縦型の収納ボックスに適用することができる。すなわち、可動部材の表面に取っ手を設け、可動部材の下縁部に、複数の板状体の縁部どうしをヒンジ結合してなる受け部材の一縁部を固定し、この受け部材の他縁部をケーシングの底板に沿って上方へ向けて延在させる。これにより、可動部材をケーシングから離間させたときに、受け部材がケーシングに掛け渡されて可動部材とケーシングとの間の底部を受け部材が遮蔽するから、種々の物品を収納することができる。また、可動部材を収納箱として構成することができ、その場合には、閉じた状態で可動部材がケーシングに収容されるようにすると好適である。
【００１２】
【発明の実施の形態】
１．第１実施形態
Ａ．位置決め装置の構成
以下、図１〜図５を参照して本発明の第１実施形態について説明する。なお、以下の説明においては、図１の上側を先端側（前）、下側を後端側（後）とする。図１はケーシングの先端部と後端部を平面で切って見た一部破断断面図である。図１以下に示すように、第１実施形態の位置決め装置は、ケーシング１０と、ケーシング１０の表面に設けられた開口部を開閉する蓋（可動部材）２０と、蓋２０の開閉動作を規定するアーム２５と、アーム２５の位置を固定するロック機構（ストッパ手段）３０とから概略構成されている。
【００１３】
ケーシング１０は、底板１１、先端側板１２、後端側板１３、先端板１４、後端板１５、先端表板１６および後端表板１７を組み合わせて矩形の箱状体とされ、先端表板１６および後端表板１７の間に、蓋２０によって開閉される開口部１８が設けられている（図３参照）。そして、この開口部１８は、蓋２０によって開閉されるようになっている。図５に示すように、蓋２０は矩形状をなし、その４つの角には左右方向へ突出する軸２１が形成されている。各軸２１にはアーム２５の一端部が回転自在に連結されている。アーム２５の他端部は、ケーシング１０の側板１２から左右方向へ突出させられた軸１９ａ，１９ｂに取り付けられている。先端側の軸１９ａは側板１２と一体的に形成され、アーム２５は軸１９ａに回転自在に支持されている。一方、後端側の軸１９ｂは、側板１２に回転自在に支持され、アーム２５は軸１９ｂに固定されている。
【００１４】
アーム２５，…の軸間距離は全て同一とされており、蓋２０は、開口部１８に対して接近離間するように平行移動することができる。また、先端側の２本のアーム２５，２５には、図３に示すように、先端側板１２側の壁部が切り欠かれてなる段部２６，２７，２８が形成されている。段部２６〜２８の隅はほぼ直角とされ、図３（Ａ）に示す状態では段部２６の直角をなす一方の面が水平となっている。また、段部２８は、その両隅が直角とされている。
【００１５】
次に、図１に示すように、ケーシング１０の後端部には、軸１９ｂが貫通したコイルばね２９が取り付けられている。コイルばね２９の一端部２９ａはケーシングに取り付けられ、他端部２９ｂは軸１９ｂに取り付けられている。コイルばね２９は、蓋２０が閉まる方向へ軸１９ｂを付勢している。
【００１６】
次に、ロック機構３０の構成について説明する。図１において符号３１はロックバーである。ロックバー３１は平面視コ字状をなし、その前後方向に延在する両端部は、図１および図４に示すように、後端側板１３に形成された溝１３ａと先端側板１２に形成された溝１２ａにより、前後方向へ摺動自在に支持されている。このロックバー３１は、段部２６〜２８に収容される断面形状とされている。また、ロックバー３１の中間部の裏面にはピン３２が突出させられ、表面中央にはレバー３３が突出させられている。レバー３３は、図３（Ａ）に示すように、先端表板１６に形成された開口１６ａを貫通しており、ケーシングに設けた仕切１０ａと開口１６ａの先端側壁部によって前後方向の移動が制限されている。
【００１７】
一方、ケーシング１０の先端部には、コイルばね３４が取り付けられている。コイルばね３４の一端部はピン３２を後端側へ押圧している。この構成のもとに、ロックバー３１は後端側へ付勢され、レバー３３をコイルばね３４の弾性力に抗して先端側へ引くことで、ロックバー３１は先端側へ摺動する。
【００１８】
Ｂ．位置決め装置の動作
次に、上記構成の位置決め装置の動作について説明する。図３（Ａ）に示す状態から蓋２０を開けると、アーム２５が図中反時計方向（第１の方向）へ回動する。そして、ロックバー３１の端部は、段部２６，２７の間の凸部を乗り越えて段部２７と係合する。この状態で、アーム２５は、開く方向には回動可能であるが、段部２７にロックバー３１が係合しているため、コイルばね２９によって付勢された閉じる方向へは回動できない。したがって、蓋２０は中間の位置で位置決めされる。
【００１９】
次に、蓋２０をさらに開けると、ロックバー３１の端部は、図３（Ｂ）に示すように、段部２７，２８の間の凸部を乗り越えて段部２８に嵌合する。したがって、この状態では、アーム２５は開閉いずれの方向へも回動不能であり、蓋２０は最終の位置で位置決めされる。次に、レバー３３を先端側へ引いてロックバー３１を段部２８から離脱させると、アーム２５は、コイルばね２９の弾性力によって時計方向へ回動し、図３（Ａ）に示す位置まで戻る。その際、レバー３３の移動距離を手加減してロックバー３１を段部２７に係合させることにより、蓋２０を中間の位置で位置決めすることもできる。
【００２０】
上記構成の位置決め装置にあっては、アーム２５の回動軌跡以外にロックバー３１と係合する部分のスペースを必要としない。また、ロックバー３１をアーム２５の回動方向側に設け、アーム２５に対して接近させることで段部２６〜２８と係合させる構成であるから、ストッパ（ピン）をアームの回動方向と直交する方向へ移動させる従来技術のように、ストッパおよびその駆動機構で幅方向の空間が無駄にされることがない。このように、上記構成の位置決め装置では、ロックバー３１とこれに係合する段部２６〜２８を効率良く配置しているため、無駄な空間が少なく装置を小型化することができる。
【００２１】
特に、上記第１実施形態では、２対のアーム２５で蓋２０を支持しているので、蓋２０の姿勢が一定になる。また、アーム２５に複数の段部２６〜２８を設けているので、蓋２０の複数位置での位置決めを上記のような簡単な構成で達成することができる。さらに、上記第１実施形態では、ロックバー３１をアーム２５から離間させるためのレバー３３と、ロックバー３１をアーム２５側へ付勢するコイルばね３４を設けているので、アーム２５が回動して段部２７，２８がロックバー３１の前方に来ると両者が自動的に係合する。したがって、位置決めの操作が簡便となる。また、レバー３３を操作してロックバー３１を段部２７，２８から離脱させるだけで、蓋２０が閉まる方向へアーム２５が回動するから、蓋２０を閉める際の操作も簡便となる。そして、このような蓋２０の開閉動作を、上記のような簡単な構成で達成することができる。
【００２２】
２．第２実施形態
Ａ．第２実施形態の構成
次に、図６〜図８を参照して本発明の第２実施形態を説明する。なお、以下の説明において前記第１実施形態と同等の構成要素には同符号を付してその説明を省略する。第２実施形態は、本発明を自動車用コンソールボックスに適用した例である。図において符号４０は蓋（可動部材）である。蓋４０には、アーム２５，…の一端部が軸４１ａ，４１ｂによって回転自在に支持され、アーム２５，…の他端部は、軸４２によってケーシング１０に回転自在に支持されている。
【００２３】
一方の軸４１ｂは蓋４０と一体的に形成され、アーム２５を回転自在に支持しているが、他方の軸４１ａはアーム２５と固定されている。そして、軸４１ａにはコイルばね４３が取り付けられ、アーム２５はコイルばね４３によって図７において時計回りの方向、つまり、蓋４０が閉まる方向へ付勢されている。
【００２４】
蓋４０の中央部には、前後方向へ向けて延在するガイド４４が形成され、ガイド４４には、駆動プレート（駆動部材）４５が前後方向に摺動自在に収容されている。駆動プレート４５の長手方向中間部には、ストッパ４５ａが形成され、このストッパ４５ａと蓋４０の仕切板４０ａの間には、圧縮コイルばね４６が配置されている。一方、蓋４０の先端部には、Ｌ字状をなすレバー４７が軸４８によって回動自在に支持されている。レバー４７の一端部は、駆動プレート４５の先端部に軸４９によって回転自在に連結されている。なお、図中符号５０はレバーを回動させるときに指を挿入するための切欠である。
【００２５】
次に、駆動プレート４５の後端部には、リンクプレート（リンク部材）５１の一端部が軸５２によって回転自在に連結されている。リンクプレート５１の中間部は、軸５３によって蓋４０に回転自在に支持され、リンクプレート５１の他端部は、ロックバー５４の後端部に軸５５によって回転自在に連結されている。
ロックバー５４は、蓋４０に形成した溝４０ｂとアーム２５によって前後方向へ摺動自在に支持され、その先端部は、アーム２５の段部２６〜２７に係合するようになっている。なお、リンクプレートと軸５２，５５とは、長穴によって連結されており、左右方向の相対移動が可能となっている。
【００２６】
Ｂ．第２実施形態の動作
次に、上記構成のコンソールボックスの動作について説明する。図７（Ａ）に示す状態から蓋４０を持ち上げると、アーム２５が図中反時計方向（第１の方向）へ回動する。そして、ロックバー５４の端部は、段部２６，２７の間の凸部を乗り越えて段部２７と係合する。この状態で、アーム２５は、開く方向には回動可能であるが、段部２７にロックバー５４の先端部が係合しているため、コイルばね４３によって付勢された閉じる方向へは回動できない。したがって、蓋４０は中間の位置で位置決めされる。次に、蓋４０をさらに上昇させると、ロックバー５４の先端部は、段部２７，２８の間の凸部を乗り越えて段部２８に嵌合する。なお、以上の操作の際において、コイルばね４６はその弾性力によって順次伸びてゆき、駆動プレート４５がリンクプレート５１を回動させてロックバー５４を先端側へ移動させる。また、駆動プレート４５の移動に伴ってレバー４７が時計方向へ回動し、図７（Ｂ）に示すように、そのＬ字状に屈曲した上端部が先端側へ移動する。
【００２７】
図７（Ｂ）に示すように、ロックバー５４の先端部は段部２８に嵌合しているから、この状態で、アーム２５は開閉いずれの方向へも回動不能である。したがって、蓋４０は最終の位置で位置決めされる。次に、レバー４７の上端部を持ち上げて反時計方向へ回動させると、駆動プレート４５が先端側へ移動し、この動作がリンクプレート５１を介してロックバー５４に伝達され、ロックバー５４が後端側へ移動してその先端部が段部２８から離脱する。これにより、アーム２５は、コイルばね４３の弾性力によって時計方向へ回動し、図７（Ａ）に示す位置まで戻る。その際、レバー４７の回動量を手加減してロックバー５４を段部２７に係合させることにより、蓋４０を中間の位置で位置決めすることもできる。
【００２８】
上記構成のコンソールボックスにあっては、前記第１実施形態と同等の作用効果を得ることは勿論のこと、蓋４０を肘掛けとして使用することができるという利点がある。しかも、蓋４０の高さを２段階に調節することができるとともに、蓋４０を開けた状態ではレバー４７を回動させない限り蓋４０は下降しないから、肘を使用者の好みの高さに安定して乗せることができる。また、レバー４７が蓋４０の先端部に設けられているので、レバー４７を指で操作しながら片手で蓋４０の位置決めを行うことができ操作性が良好である。
【００２９】
３．変更例
本発明は上記実施形態に限定されるものではなく種々の変更が可能であり、また、種々の用途に用いることができる。図９〜図１６は上記第１実施形態を収納ボックスに適用した例を示すもので、第１実施例と同等の構成要素には同符号を付してある。図１に示すように、この収納ボックスは縦にして用いられる。図中符号６０は取っ手であり、取っ手６０は蓋２０の上部に固定されている。また、蓋２０の下端部には、ケーシング１０側へ向けて伸びる第１プレート（板状体）６１が形成されている。この第１プレート６１の縁部には、第２プレート（板状体）６２がヒンジ６５によって結合され、第２プレート６２の縁部には第３プレート（板状体）６３がヒンジ６５によって結合されている。
【００３０】
図１３（Ａ）に示す蓋２０を閉めた状態では、第２プレート６２および第３プレート６３は、ケーシング１０の底板１１に沿って上方へ向けて延在している。ここで、取っ手６０を持って蓋２０を開けると、図１３（Ｂ）に示すように、ロックバー３１がアーム２５の段部２７に係合し、蓋２０が位置決めされる。その際、第１プレート６１がケーシング１０から離間するに従って第２、第３プレート６２，６３が引きずられ、これらが蓋２０とケーシング１０で構成される収納スペースの底を遮蔽する受け部材を構成する。したがって、この収納ボックスを例えば自動車に設置すれば、蓋２０およびケーシング１０で構成される収納スペースに、例えばサングラス、煙草、ライターといった小物を収納することができる。また、収納する小物の量が増えた場合には、図１５および図１６に示すように、蓋２０をさらに開けることで収納スペースを拡大することができ便利である。なお、この変更例では板状体としてプレートを用いたが、枠の中に布等のシートや網を設けたものであっても良い。
【００３１】
次に、図１７〜図２３は収納ボックスの他の例を示すもので、この収納ボックスも縦にして用いられる。この変更例では、上記実施形態の蓋の代わりに箱（可動部材）７０が設けられている。箱７０の内部は、仕切７１，７１によって３つの収納スペース７２，…に区切られている。また、箱７０は、閉じた状態でケーシング１０内に全体が収容されるような大きさとされている。この収納ボックスを使用する際には、取っ手６０を持って箱７０を引き出す。すると、図２１（Ｂ）に示すように、ロックバー３１がアーム２５の段部２７に係合し、箱７０が位置決めされる。この状態では、手前の２つの収納スペース７２，７２がケーシング１０から突出して使用可能となっている。したがって、この収納ボックスを例えば自動車に設置すれば、収納スペース７２，７２にＣＤやカセットテープなどの小物を収納することができる。また、箱７０には複数の収納スペース７２，…が設けられているので、収納する小物を種類によって仕分けすることができ便利である。
【００３２】
【発明の効果】
以上説明したように本発明によれば、段部を有するアームが弾性部材により回動させられる方向に、段部と係合するストッパ手段を配置しているので、無駄な空間が少なく装置を簡略化かつ小型化することができるという効果が得られる。
【図面の簡単な説明】
【図１】  本発明の第１実施形態の位置決め装置を示す一部破断断面図である。
【図２】  図１のII−II線断面図である。
【図３】  （Ａ）は図１のIII−III線断面図であり、（Ｂ）は（Ａ）の状態から蓋を開けた状態を示す図である。
【図４】  図３（Ａ）のIV−IV線断面図である。
【図５】  （Ａ）は蓋の裏面図であり、（Ｂ）は（Ａ）の矢印Ｂ矢視である。
【図６】  本発明の第２実施形態のコンソールボックスを示す一部破断断面図である。
【図７】  （Ａ）は図６のVII−VII線断面図であり、（Ｂ）は（Ａ）の状態から蓋を開けた状態を示す図である。
【図８】  （Ａ）は図７の矢印VIIIＡ矢視、（Ｂ）は図７の矢印VIIIＢ矢視である。
【図９】  図１に示す第１実施形態の変更例の収納ボックスを示す平面図である。
【図１０】  図９の矢印Ｘ矢視である。
【図１１】  図９の一部破断断面図である。
【図１２】  図１１のXII−XII線断面図である。
【図１３】  （Ａ）は図１１のXIII−XIII線断面図であり、（Ｂ）は（Ａ）の状態から蓋を開けた状態を示す図である。
【図１４】  図１３の矢印XIV矢視である。
【図１５】  図１３（Ｂ）に示す状態からさらに蓋を開けた状態を示す図である。
【図１６】  図１５の矢印XVI矢視である。
【図１７】  図１に示す第１実施形態の他の変更例の収納ボックスを示す平面図である。
【図１８】  図１７の矢印XVIII矢視である。
【図１９】  図１７の一部破断断面図である。
【図２０】  （Ａ）は図１９のXX−XX線断面図であり、（Ｂ）は（Ａ）の状態から箱を開けた状態を示す図である。
【図２１】  図２０（Ｂ）の矢印XXI矢視である。
【図２２】  図２０（Ｂ）の状態からさらに箱を開けた状態を示す図である。
【図２３】  図２２の矢印XXIII矢視である。
【図２４】  （Ａ）は従来の位置決め装置の正面図、（Ｂ）は（Ａ）のＢ−Ｂ線断面図、（Ｃ）は（Ａ）に示す状態からピンを引っ込めた状態を示す図、（Ｄ）は（Ｃ）に示す状態から蓋を開けた状態を示す図である。
【符号の説明】
１０…ケーシング、１２…側板、２０…蓋（可動部材）、
２５…アーム、２６，２７，２８…段部、２９…コイルばね（弾性部材）、
３０…ロック機構（ストッパ手段）、３１…ロックバー、３３…レバー、
３４…コイルばね（弾性部材）、４０…蓋（可動部材）、
４３…コイルばね（弾性部材）、４５…駆動プレート（駆動部材）、
４７…レバー、５１…リンクプレート（リンク部材）、５４…ロックバー、
６０…取っ手、６１，６２，６３…第１、第２、第３プレート（板状体）、
７０…箱（可動部材）。
【図１】
0004201230.tif 000002
【図２】
0004201230.tif 000003
【図３】
0004201230.tif 000004
【図４】
0004201230.tif 000005
【図５】
0004201230.tif 000006
【図６】
0004201230.tif 000007
【図７】
0004201230.tif 000008
【図８】
0004201230.tif 000009
【図９】
0004201230.tif 000010
【図１０】
0004201230.tif 000011
【図１１】
0004201230.tif 000012
【図１２】
0004201230.tif 000013
【図１３】
0004201230.tif 000014
【図１４】
0004201230.tif 000015
【図１５】
0004201230.tif 000016
【図１６】
0004201230.tif 000017
【図１７】
0004201230.tif 000018
【図１８】
0004201230.tif 000019
【図１９】
0004201230.tif 000020
【図２０】
0004201230.tif 000021
【図２１】
0004201230.tif 000022
【図２２】
0004201230.tif 000023
【図２３】
0004201230.tif 000024
【図２４】
0004201230.tif 000025